(57)【要約】【課題】手持ち型の読取装置の操作者が商品の登録状況を容易に確認できる読取装置を提供する。【解決手段】読取装置は、表示部と、把持部と、撮像部と、復号手段と、問合せ手段と、表示手段と、を備える。表示部は、画像を表示する。把持部は、前記表示部に取り付けられた持ち手である。撮像部は、前記表示部または前記把持部に設けられ、画像を撮像する。復号手段は、前記撮像部が撮像した画像に含まれるコード画像をデコードしてコード情報を出力する。問合せ手段は、外部装置が備える記憶部に問合せて、前記復号手段が出力したコード情報に関連付けられた商品情報を出力する。表示手段は、前記問合せ手段が出力した情報を前記表示部に表示させる。【選択図】図１
2016110226.tif 000002
【特許請求の範囲】
【請求項１】
画像を表示する表示部と、
前記表示部に取り付けられた持ち手である把持部と、
前記表示部または前記把持部に設けられ、画像を撮像する撮像部と、
前記撮像部が撮像した画像に含まれるコード画像をデコードしてコード情報を出力する復号手段と、
外部装置が備える記憶部に問合せて、前記復号手段が出力したコード情報に関連付けられた商品情報を出力する問合せ手段と、
前記問合せ手段が出力した情報を前記表示部に表示させる表示手段と、
を備える読取装置。
【請求項２】
前記表示部は、少なくとも画像を表示していない状態では透明ないし半透明である
ことを特徴とする請求項１に記載の読取装置。
【請求項３】
前記表示手段は、前記撮像部が撮像した画像に前記問合せ手段が入力した情報を重ねて前記表示部に表示させる
ことを特徴とする請求項１または２に記載の読取装置。
【請求項４】
前記把持部は、棒状であって、上端部が前記表示部の外周部に取り付けられている
ことを特徴とする請求項１〜３のいずれか１つに記載の読取装置。
【請求項５】
前記撮像部の撮像対象に対して光を照射することにより、撮像対象表面に、前記撮像部の撮像範囲を示す枠を照射または投影する照射部をさらに備える
ことを特徴とする請求項１〜４のいずれか１つに記載の読取装置。
【発明の詳細な説明】
【技術分野】
【０００１】
本発明の実施形態は、読取装置に関する。
【背景技術】
【０００２】
従来、ＰＯＳ端末装置への商品登録にあたって、縦型スキャナを使わない店舗がある。縦型スキャナは、チェッカー台（スキャン担当店員と客との間の細長い台）に固定されて用いられる。このため、チェッカー台に乗せにくい大型商品を多く取り扱っていたり、毛布を畳み直すなどのチェッカー台上での作業が発生したりする店舗では、縦型スキャナは不向きである。こういった店舗では、手持ち型（ハンディタイプ）の読取装置すなわちハンディスキャナが用いられる。
【０００３】
ハンディスキャナには、従来、登録状況を確認するための表示部が付属していない。このため、店員は、スキャニングの都度、ハンディスキャナが接続されたＰＯＳ端末装置を振り返り、ＰＯＳ端末装置の画面によって登録状況を確認していて、負担が大きい。
【０００４】
他に、従来、スキャニングに応じてＰＯＳ端末装置が、音や、合成した音声を発するようにしたものがある。しかしながら、短い音のみでは、店舗が騒がしく聞こえないことがある上、どういった内容が登録されたのかを把握できない。また、合成音声による登録内容の読み上げは、客に好まれないことがある。
【発明の概要】
【発明が解決しようとする課題】
【０００５】
本発明が解決しようとする課題は、手持ち型の読取装置の操作者が商品の登録状況を容易に確認できる読取装置を提供することである。
【課題を解決するための手段】
【０００６】
実施形態の読取装置は、表示部と、把持部と、撮像部と、復号手段と、問合せ手段と、表示手段と、を備える。表示部は、画像を表示する。把持部は、前記表示部に取り付けられた持ち手である。撮像部は、前記表示部または前記把持部に設けられ、画像を撮像する。復号手段は、前記撮像部が撮像した画像に含まれるコード画像をデコードしてコード情報を出力する。問合せ手段は、外部装置が備える記憶部に問合せて、前記復号手段が出力したコード情報に関連付けられた商品情報を出力する。表示手段は、前記問合せ手段が出力した情報を前記表示部に表示させる。
【図面の簡単な説明】
【０００７】
【図１】図１は、実施形態のハンディスキャナの外観を示す（ａ）正面図、および（ｂ）側面図である。
【図２】図２は、実施形態のハンディスキャナの構成を示すブロック図である。
【図３】図３は、実施形態の制御部の機能構成を示すブロック図である。
【図４】図４は、実施形態のハンディスキャナの使用時の状態例を示す図である。
【発明を実施するための形態】
【０００８】
実施形態について図面を用いて説明する。図１は、ハンディスキャナ１の外観を示す（ａ）正面図、および（ｂ）側面図である。図２は、ハンディスキャナ１の構成を示すブロック図である。
【０００９】
ハンディスキャナ１は、ＰＯＳ端末装置１０（図２参照）に接続されて、スキャン担当店員（チェッカー）により使用される。ハンディスキャナ１は、バーコードや二次元コードなどのコード画像を読み取ってコード情報を出力し、該コード情報をＰＯＳ（Point  of  Sales）端末装置１０に入力する。
【００１０】
ＰＯＳ端末装置（外部装置）１０は、記憶部を備え、該記憶部にＰＬＵ（Price  Look  Up）情報を記憶している。ＰＬＵ情報は、各商品やサービスに固有の番号（品番）と、該品番に対応付けた商品情報（名称、分類、単価、上記コード画像に対応するコード情報など）である。
【００１１】
ハンディスキャナ１は、表示部２、把持部３、撮像部４、照射部５、通信Ｉ／Ｆ（インタフェイス）６、制御部７、およびメモリ８を備える。
【００１２】
表示部２は、チェッカーが参照する画像を表示する。表示部２は、例えば有機ＥＬ（Organic  Electroluminescence）ディスプレイであって、少なくとも画像を表示していない状態では透明ないし半透明である。
【００１３】
把持部３は、表示部２の持ち手であり、概ね棒状であって、上端部３１が表示部２の外枠（外周部）２１に取り付けられている。この把持部３は、通信Ｉ／Ｆ６、制御部７、およびメモリ８を内蔵している。
【００１４】
撮像部４は、例えばＣＣＤカメラやＣＭＯＳカメラであり、画像を撮像する。この撮像部４は、表示部２の外枠２１に設けられている。撮像部４は概ね外枠２１に埋め込まれ、レンズ部分を露出させている。撮像部４は、撮像した画像を電気信号に変換して出力する。なお、撮像部４は、把持部３を握るチェッカーの手指で覆われることを避けるためには、把持部３の上端部３１からは離れて位置した方が好適である。
【００１５】
照射部５は、撮像部４の撮像対象に対してレーザーやＬＥＤ光などの光を照射することにより、撮像対象表面に、撮像部４の撮像範囲を示す枠５１（図４参照）を照射（または投影）する。この照射部５は、撮像部４の近隣に配され、表示部２の外枠２１に設けられている。
【００１６】
通信Ｉ／Ｆ（インタフェイス）６は、制御部７とＰＯＳ端末装置１０との通信が可能な状態にハンディスキャナ１をＰＯＳ端末装置１０に接続する。
【００１７】
制御部７は、ＣＰＵ（Central  Processing  Unit）７１、ＲＯＭ（Read  Only  Memory）７２、およびＲＡＭ（Random  Access  Memory）７３を備えている。制御部７は、ＣＰＵ７１がＲＯＭ７２に記憶されたプログラムをＲＡＭ７３に読み出して実行することにより、上記各部（表示部２、把持部３、撮像部４、照射部５、通信Ｉ／Ｆ６、およびメモリ８）を、統括的に制御する。また、メモリ８は、上記プログラムの実行に用いる各種設定値などを記憶する。
【００１８】
図３は、制御部７の機能構成を示すブロック図である。制御部７は、プログラムを実行することにより、復号手段７ａ、問合せ手段７ｂ、および表示手段７ｃとして機能する。
【００１９】
復号手段７ａは、撮像部４が出力した電気信号を入力として、撮像した画像に含まれるコード画像をデコードしてコード情報を出力する。
【００２０】
問合せ手段７ｂは、復号手段７ａが出力したコード情報を入力とし、ＰＯＳ端末装置１０に対して、コード情報を含む問合せを送る。問合せを受けたＰＯＳ端末装置１０は、問合せに応じてＰＬＵ情報を参照し、問合せ手段７ｂに対して、コード情報に関連付けられた商品情報を送る。そして、問合せ手段７ｂは、ＰＯＳ端末装置１０から受け取った商品情報を出力する。
【００２１】
表示手段７ｃは、問合せ手段７ｂが出力した情報を、表示部２に表示させる。
【００２２】
図４は、ハンディスキャナ１の使用時の状態例を示す図である。チェッカーは、商品Ｇを虫眼鏡で見るようにハンディスキャナ１をかざし、商品Ｇに貼付されたラベルＬを、表示部２越しに見る。次に、チェッカーは、ハンディスキャナ１の位置や向きを調整し、ラベルＬに印字されたバーコードなどのコード画像Ｃを、照射部５が照射する枠５１で囲む。
【００２３】
コード画像Ｃが枠５１で囲まれる位置にハンディスキャナ１が位置するとき、撮像部４は、コード画像Ｃにフォーカスが合った画像を撮像可能となる。コード画像Ｃにフォーカスが合った画像を撮像部４が出力すると、復号手段７ａは、コード画像Ｃをデコードして、コード情報を出力する。
【００２４】
復号手段７ａがコード情報を出力すると、問合せ手段７ｂは、ＰＯＳ端末装置１０にＰＬＵ情報の問合せを行う。そして、問合せ手段７ｂは、ＰＯＳ端末装置１０から受けた商品情報を出力する。
【００２５】
問合せ手段７ｂが商品情報を出力すると、表示手段７ｃは、図１（ａ）に示すように、商品情報を表示部２に表示させる。これにより、チェッカーは、表示部２越しに商品Ｇを見ながら、当該商品Ｇに貼付されたコード画像Ｃが示すコード情報に関連付けられた商品情報を、表示部２で確認することができる。
【００２６】
このように、本実施形態によれば、手持ち型の読取装置（ハンディスキャナ１）の操作者（チェッカー）が商品の登録状況を容易に確認できる。したがって、コード画像Ｃの読み取り一回ごとに、ＰＯＳ端末装置１０を振り向くなどして画面表示を確認する必要がなくなる。よって、操作者の負担を軽減することができる。
【００２７】
なお、上記実施形態において、図１で、便宜上、把持部３を、長さ方向にずれたいずれの箇所も同じ太さのものとして示した。しかしながら、実施にあたっては、把持部３に、持ちやすさを考慮するなどした任意のデザインを施して構わない。
また、上記実施形態では、撮像部４を表示部２の外枠２１に設けたが、実施にあたって、撮像部４が把持部３に設けられていてもよい。この場合、照射部５も、把持部３に設けるなどして、撮像部４の近くに配するのが好ましい。
【００２８】
さらに、上記実施形態では、表示部２は透明ないし半透明としたが、実施にあたっては、表示部２が透けないものであってもよい。この場合、表示手段７ｃは、撮像部４が撮像した画像（撮像画像）を、表示部２に表示させる。
また、この場合、ＰＬＵ情報を表示させるにあたり、表示手段７ｃは、ＡＲ（Augmented  Reality、拡張現実）技術のように、撮像画像に、問合せ手段７ｂが出力した情報を重ねて表示させる。
あるいは、表示手段７ｃは、ＰＬＵ情報を、撮像画像に重ねて表示させるのでなく、撮像画像に替えて表示させてもよい。
【００２９】
なお、本実施形態の読取装置で実行されるプログラムは、ＲＯＭなどに予め組み込まれて提供される。
本実施形態の読取装置で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）などのコンピュータで読み取り可能な記録媒体に記録して提供するように構成してもよい。
さらに、本実施形態の読取装置で実行されるプログラムを、インターネットなどのネットワークに接続されたコンピュータ上に格納し、ネットワーク経由でダウンロードさせることにより提供するように構成してもよい。また、本実施形態の読取装置で実行されるプログラムをインターネットなどのネットワーク経由で提供または配布するように構成してもよい。
本実施形態の読取装置で実行されるプログラムは、上述した各部（復号手段７ａ、問合せ手段７ｂ、表示手段７ｃ）を含むモジュール構成となっている。ＣＰＵ（プロセッサ）は、上記ＲＯＭからプログラムを読み出して実行することにより、上記各部を主記憶装置上にロードする。これにより、復号手段７ａ、問合せ手段７ｂ、および表示手段７ｃが、主記憶装置上に生成される。
【００３０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
１…ハンディスキャナ（読取装置）、
２…表示部、２１…外枠（外周部）、
３…把持部、３１…上端部、
４…撮像部、
５…照射部、５１…枠、
６…通信Ｉ／Ｆ、
７…制御部、
７１…ＣＰＵ、７２…ＲＯＭ、７３…ＲＡＭ、
７ａ…復号手段、７ｂ…問合せ手段、７ｃ…表示手段、
８…メモリ、
１０…ＰＯＳ端末装置（外部装置）。
【先行技術文献】
【特許文献】
【００３２】
【特許文献１】特開２０１３−５４６４９号公報
【図１】
2016110226.tif 000003
【図２】
2016110226.tif 000004
【図３】
2016110226.tif 000005
【図４】
2016110226.tif 000006